(57)【要約】      （修正有）【課題】検体に接触させた検体採取棒を円滑に挿入することができ、感染性物質の飛散を軽減できる検体採取容器を提供する。【解決手段】検体採取棒を挿入する検体採取容器の開口部の断面を、斜めや階段状等の、検体採取容器の中栓の間隙に対して直交横断面とはしないことにより、検体採取棒の検体採取容器への挿入を円滑に行なうことが可能となる。検体採取棒を検体採取容器に円滑に挿入出来ることにより、感染性物質の飛散を軽減させることが可能となり、また、多数の検体を短時間に処理することが可能となる。【選択図】図４
0003204226.tif 000002
【実用新案登録請求の範囲】
【請求項１】
検体採取棒を含む検体採取容器であって、前記検体採取棒を挿入する前記検体採取容器の開口部の断面が、前記間隙の直交横断面ではないことを特徴とする検体採取容器。
【請求項２】
前記検体採取容器の前記開口部の断面の面積と、中栓の間隙の直行横断面の面積の比が１より大きいことを特徴とする、請求項１記載の検体採取容器。
【請求項３】
前記検体採取容器の前記開口部の断面が、斜めまたは階段状である、請求項１または２記載の検体採取容器。
【考案の詳細な説明】
【技術分野】
【０００１】
本考案は、検体採取棒により検体を採取し、検体採取容器に挿入する際に、容易に挿入できる検体採取容器に関するものである。
【背景技術】
【０００２】
検体を検体採取棒を含む検体採取容器に導入する際に、通常は検体採取容器より検体採取棒を抜き取り、検体採取棒の検体採取部と検体を接触させた後に、検体採取棒が挿入されていた検体採取容器の間隙に沿って検体採取棒を戻すこととなる。
【０００３】
このとき、検体採取棒が挿入される間隙は、その直交横断面の面積を大きくすると、導入した検体もしくはその希釈液が検体採取容器から漏出する虞が生じるため、その直交横断面の面積は必然的に最少とならざるを得ない（特許文献１）。その結果、検体採取棒の検体採取容器への挿入には困難を伴う。
【０００４】
ここで、採取対象検体が糞便等の感染性物質を含む虞がある検体の場合、検体採取棒を検体採取容器に挿入する際に上手く行なえず、感染性物質を飛散させて感染の危険が高まることが考えられる。
【先行技術文献】
【特許文献】
【０００５】
【特許文献１】特開２００７−１７０９９７号公報
【考案の概要】
【考案が解決しようとする課題】
【０００６】
検体採取容器は、糞便等の感染性物質を含む虞がある検体を扱うため、その扱いは慎重にならざるを得ない。一方、検体を検体採取容器に導入する現場では、多数の検体を短時間に処理しなければならないことが実情である。
【０００７】
そこで、検体採取棒を検体採取容器に容易に挿入出来る検体採取容器を用いることにより、感染性物質の飛散を軽減させることが可能となり、また、多数の検体を短時間に処理することが可能となることが期待される。
【課題を解決するための手段】
【０００８】
本考案に係る検体採取容器は、検体採取棒が挿入される中栓の間隙の直交横断面の面積を変更することなく検体採取棒の挿入を容易にするため、中栓の間隙に検体採取棒を挿入する開口部の断面の面積と中栓の間隙の直交断面の面積の比を１より大きくする、例えば斜めまたは階段状にすることを特徴とする。
【考案の効果】
【０００９】
本考案の検体採取容器は、検体採取棒が挿入される間隙の開口部の断面を、例えば斜めまたは階段状にすることにより、開口部の断面の面積を広げると共に、検体採取棒の先端が開口壁に当接して検体採取棒を円滑に挿入することが可能であるという効果がある。
【図面の簡単な説明】
【００１０】
【図１】本考案の一実施形態に係る検体採取容器の外観図である。
【図２】図１のＡ−Ａ’断面図である。
【図３】図１のＢ−Ｂ’断面図である。
【図４】本考案の一実施形態に係る中栓の外観図である。
【図５】図４のＣ−Ｃ’断面図である。
【図６】図４のＤ−Ｄ’断面図である。
【考案を実施するための形態】
【００１１】
以下、本考案の一実施形態について、図面を参照しつつ説明する。
【００１２】
図１、図２、および図３に示す検体を希釈・懸濁する溶液を充填した検体採取容器１は、本体容器２、中栓３、および検体採取棒４より構成されている。この中、本体容器２および中栓３は使用時には一体化されている。
【００１３】
検体を採取するときは、検体採取容器１より検体採取棒４を抜き取り、検体採取棒４の先端の検体採取部４ａを採取する検体に接触させて十分量の検体を採取した後に、中栓３の間隙３ａに沿って元の検体採取容器１に挿入する。
【００１４】
このことにより、採取した検体は、予め検体採取容器１に充填していた溶液で希釈・懸濁され、臨床検査等に供することが出来る。
【００１５】
しかし、中栓３の間隙３ａの検体採取棒を挿入する開口部の断面が直交横断面であると、開口部の断面の面積と検体採取部４ａの直交横断面の面積の差が少なくなることから、検体を採取して検体採取棒４を検体採取容器１に挿入し難くなっている。
【００１６】
そこで、中栓３の開口部３ｂの断面が間隙３ａの直行横断面ではない、すなわち、断面を斜めにすることにより、その断面の面積が中栓３の間隙３ａの直交横断面の面積より著しく大きくなり、検体採取棒４を検体採取容器１に挿入することが容易くなる。
【００１７】
また、中栓３の開口部３ｂの断面を斜めにすることにより、中栓３の開口部３ｂの片側に開口壁３ｃが形成され、検体採取棒４を検体採取容器１に挿入するときに、検体採取部４ａが中栓３の開口部３ｂの片側の開口壁３ｃ当接することにより、より円滑な検体採取棒４の挿入が可能となる。
【００１８】
すなわち、本考案の検体採取容器１の中栓３の開口部３ｂの断面を斜めにすることにより、検体として、例え糞便等の感染性物質を含む虞がある検体を扱うときにも、検体採取棒４を検体採取容器１に円滑に挿入出来ることにより、感染性物質の飛散を軽減させることが可能となり、また、多数の検体を短時間に処理することが可能となることが期待される。
【００１９】
以上、本考案について一実施形態を示して説明したが、本考案は前述した実施形態のみに限定されるものではなく、本考案の範囲内で種々の形態変異が含まれることは言うまでもない。
【００２０】
例えば、前述した実施形態では、中栓３の開口部３ｂを斜めに切断しているが、中栓３の開口部３ｂを階段状に切断した形態であっても、本考案の範囲内に含まれる。
【産業上の利用可能性】
【００２１】
本考案の検体採取容器を用いる、すなわち、検体採取容器に含まれる検体採取棒を用いて検体を検体採取容器に導入するときに、検体の飛散等の危険を抑えることが出来る。
【符号の説明】
【００２２】
１    検体採取容器
２    本体容器
３    中栓
３ａ  間隙
３ｂ  開口部
３ｃ  開口壁
４    検体採取棒
４ａ  検体採取部
【図１】
0003204226.tif 000003
【図２】
0003204226.tif 000004
【図３】
0003204226.tif 000005
【図４】
0003204226.tif 000006
【図５】
0003204226.tif 000007
【図６】
0003204226.tif 000008
【手続補正書】
【提出日】平成28年3月14日(2016.3.14)
【手続補正１】
【補正対象書類名】実用新案登録請求の範囲
【補正対象項目名】全文
【補正方法】変更
【補正の内容】
【実用新案登録請求の範囲】
【請求項１】
検体採取棒を含む検体採取容器であって、前記検体採取棒を挿入する前記検体採取容器の開口部の断面が、前記検体採取棒を挿入する前記検体採取容器に含まれる中栓の間隙の直交横断面ではないことを特徴とする検体採取容器。
【請求項２】
前記検体採取容器の前記開口部の断面の面積と、前記中栓の前記間隙の直交横断面の面積の比が１より大きいことを特徴とする、請求項１記載の検体採取容器。
【請求項３】
前記検体採取容器の前記開口部の断面が、斜めまたは階段状である、請求項１または２記載の検体採取容器。